(57)【要約】【課題】動作が確実で信頼性の高い安全機構を備えた電動調理器を提供する。【解決手段】電動機１を内蔵する本体２に着脱自在に載置される容器４と、容器４の底部に設けた突起物５により容器４が本体２に正規状態で載置された時のみ押圧される安全ピン３と、スイッチ板１０の操作により開閉するスイッチ７と、スイッチ板１０の操作方向と直交する方向にバネ１４で付勢されると共にスイッチ板１０の操作を阻止する可動板８と、安全ピン３に連動して回動すると共に付勢力に抗して可動板８の移動を規制する回動部材１３とを備え、本体２に容器４を正規状態で載置した時に、回動部材１３が回動して移動規制が解除された可動板８がバネ１４による付勢力で移動して、スイッチ板１０の操作を可能にするようにしたもので、可動板８の移動を、傾斜部を利用した摺動ではなく、回転部材１３で行なうので摩擦等の力の損失がなく、可動板８の動作が確実に行なわれる。【選択図】図１
2006006612.tif 000002
【特許請求の範囲】
【請求項１】
電動機を内蔵する本体と、前記本体に着脱自在に載置されると共に食品を収納する容器と、前記容器の底部に設けた突起物と、前記本体に設けられ前記容器が前記本体に正規状態で載置された時のみ前記突起物で押圧される安全ピンと、スイッチ板の操作により開閉するスイッチと、前記スイッチ板の操作方向と直交する方向にバネで付勢されると共に前記スイッチ板の操作を阻止する可動板と、前記安全ピンの動作に連動して回動すると共に付勢力に抗して前記可動板の移動を規制する回動部材とを備え、前記本体に前記容器を正規状態で載置した時に、前記回動部材が回動して移動規制が解除された前記可動板が前記バネによる付勢力で移動して、前記スイッチ板の操作を可能にするようにした電動調理器。
【請求項２】
容器の上部開口を覆う容器蓋を備え、突起物を容器底部に上下移動自在に配し、前記容器側面に、前記容器蓋が正規の位置にある時のみ前記突起物を押圧し固定する固定ピンを設けた請求項１に記載の電動調理器。
【請求項３】
容器蓋に外方に突出する張出し部を設け、容器の上部側面部に複数の溝を設け、前記容器蓋を回動させて前記張出し部を前記溝部に嵌合した時に、固定ピンが押圧され突起物が固定される請求項２に記載の電動調理器。
【請求項４】
容器の上部開口を覆う容器蓋と、前記容器蓋に、外方に突出すると共に下方に延設された張出し部を設け、前記容器の底面部材に複数の溝を設け、前記張出し部を前記溝に嵌合させた時に、前記張出し部で突起物を押圧して固定するようにした請求項１に記載の電動調理器構。
【発明の詳細な説明】
【技術分野】
【０００１】
本発明は、一般家庭やレストランなどで使用される電動調理器に関するもので、特に電動調理器の安全機構に関するものである。
【背景技術】
【０００２】
従来のこの種の電動調理器の安全機構について、図６、７を用いて説明する。
【０００３】
図において、電動調理器の本体２には、容器４に回転自在に設けられたカッタ−４ａを回転駆動する電動機１が内蔵されている。７は、電動機１の運転を制御するスイッチで、
スイッチ板１０を押圧操作して開閉するものである。
【０００４】
３は、前記本体２に設けた安全ピンで、図７（ｂ）に示すように、容器４が本体１の上に正規状態に載置された時のみ容器４の底部に設けた突起物５で押圧され、安全ピン３と連結した連結部材６の端部がスイッチ７の可動板８に設けた傾斜部９を摺動しながら押して可動板８を横方向に摺動させ、スイッチ板１０の操作方向と可動板８に設けた溝１１の位置が合致したときのみスイッチ板１０が溝１１に入りスイッチ操作が可能となり通電を可能にするようになっていた（例えば、特許文献１参照）。
【特許文献１】実用新案登録第２５９１３４９号公報
【発明の開示】
【発明が解決しようとする課題】
【０００５】
しかしながら、前記のように構成された安全機構は、可動板８の傾斜部９を安全ピン３と連結した連結部材６の端部が摺動しながら押しているため、摩擦により滑らかな動きが得られず、安全機能が十分果たせないという課題があった。
【０００６】
本発明は、上記従来の課題を解決し、確実に安全機能を動作させることができる電動調理器を提供する事を目的とする。
【課題を解決するための手段】
【０００７】
前記従来の課題を解決するために、本発明の電動調理器は、電動機を内蔵する本体と、前記本体に着脱自在に載置されると共に食品を収納する容器と、前記容器の底部に設けた突起物と、前記本体に設けられ前記容器が前記本体に正規状態で載置された時のみ前記突起物で押圧される安全ピンと、スイッチ板の操作により開閉するスイッチと、前記スイッチ板の操作方向と直交する方向にバネで付勢されると共に前記スイッチ板の操作を阻止する可動板と、前記安全ピンの動作に連動して回動すると共に付勢力に抗して前記可動板の移動を規制する回動部材とを備え、前記本体に前記容器を正規状態で載置した時に、前記回動部材が回動して移動規制が解除された前記可動板が前記バネによる付勢力で移動して、前記スイッチ板の操作を可能にするようにしたもので、安全ピンの動作方向と可動板の動作方向の変換並びに安全ピンの動作力の伝達に傾斜部を利用した摺動ではなく、支点を介して回動する回転部材で行なうので、摩擦等の力の損失がなく、スイッチ操作を規制する可動板を確実に動作させることができ、安全で且つスイッチ操作を確実に行なうことができる。
【発明の効果】
【０００８】
本発明の電動調理器は、摩擦等の力の損失がなく、スイッチ操作を規制する可動板を確実に動作させることができ、安全で且つスイッチ操作を確実に行なうことができる。
【発明を実施するための最良の形態】
【０００９】
第１の発明は、電動機を内蔵する本体と、前記本体に着脱自在に載置されると共に食品を収納する容器と、前記容器の底部に設けた突起物と、前記本体に設けられ前記容器が前記本体に正規状態で載置された時のみ前記突起物で押圧される安全ピンと、スイッチ板の操作により開閉するスイッチと、前記スイッチ板の操作方向と直交する方向にバネで付勢されると共に前記スイッチ板の操作を阻止する可動板と、前記安全ピンの動作に連動して回動すると共に付勢力に抗して前記可動板の移動を規制する回動部材とを備え、前記本体に前記容器を正規状態で載置した時に、前記回動部材が回動して移動規制が解除された前記可動板が前記バネによる付勢力で移動して、前記スイッチ板の操作を可能にするようにしたもので、安全ピンの動作方向と可動板の動作方向の変換並びに安全ピンの動作力の伝達に傾斜部を利用した摺動ではなく、支点を介して回動する回転部材で行なうので、摩擦等の力の損失がなく、スイッチ操作を規制する可動板を確実に動作させることができ、安全で且つスイッチ操作を確実に行なうことができる。
【００１０】
第２の発明は、特に、第１の発明の容器の上部開口を覆う容器蓋を備え、突起物を容器底部に上下移動自在に配し、前記容器側面に、前記容器蓋が正規の位置にある時のみ前記突起物を押圧し固定する固定ピンを設けたもので、容器蓋が正規の位置にある時のみ突起物が固定され、それにより安全ピンが動作するので、容器蓋を忘れたままで、或いは容器蓋が不正規の位置では、スイッチの操作ができないので、安全である。
【００１１】
第３の発明は、特に、第２の発明の容器蓋に外方に突出する張出し部を設け、容器の上部側面部に複数の溝を設け、前記容器蓋を回動させて前記張出し部を前記溝部に嵌合した時に、固定ピンが押圧され突起物が固定されるもので、前記容器蓋の前記張り出し部を前記溝に嵌合させる事により、振動等で容易に前記容器蓋が外れることがなく、安定したスイッチ操作を行なうことができる。
【００１２】
第４の発明は、特に、第１の発明の容器の上部開口を覆う容器蓋と、前記容器蓋に、外方に突出すると共に下方に延設された張出し部を設け、前記容器の底面部材に複数の溝を設け、前記張出し部を前記溝に嵌合させた時に、前記張出し部で突起物を押圧して固定するようにしたもので、容器蓋の側壁を延設して形成した張出し部により、固定ピンが不要になると共に、張出し部で直接突起物を固定することにより、構成が簡素化され、しかもスイッチ操作が確実に行なえる。
【００１３】
以下、本発明の実施の形態について、図面を参照しながら説明する。なお、この実施の形態によって本発明が限定されるものではない。
【００１４】
（実施の形態１）
図１は、本発明の実施の形態１における電動調理器の要部断面図、図２（ａ）は、同電動調理器のスイッチ機構の動作を示す図（容器取り外し時）、（ｂ）は、同スイッチ機構の動作を示す図（容器セット時）である。なお、従来例と同一部分に付いては、同一符号を付してその説明を省略する。
【００１５】
図において、電動機１を内蔵する本体２と、前記本体２上に着脱自在に載置される容器４が正規状態に載置された時のみ、前記容器底部１２に設けた突起物５が前記容器底部１２と相対した本体２上面に設けた安全ピン３を押圧するようになっている。
【００１６】
１３は、本体２に回動自在に設けられた回動部材で、一端が、安全ピン３と連結された連結部材６が下方に移動したときに、当接して回動するようになっている。
【００１７】
スイッチ板１０の操作を規制する可動板８は、複数の溝１１を有すると共に、バネ１４により回動部材１３側に常時付勢されている。
【００１８】
以上のように構成された電動調理器の動作、作用を説明する。
【００１９】
本体１２から容器４を取り外した状態、或いは  容器４が本体１２に不正規に載置されている場合は、図２（ａ）に示すように、可動板８がバネ１４の付勢力に抗して回動部材１３により、移動規制され、その間は、スイッチ板１０と可動板８に設けた溝１１との位置がずれており、スイッチ板１０を押圧操作することができない。
【００２０】
次に、本体２に、容器４を正規状態に載置すると、容器底部１２に設けた突起物５が安全ピン３を押圧し、その安全ピン３と連結した連結部材６が、回動部材１３を回転させ、可動板８の移動を規制していた回動部材１３の一端が退避し、自由になった可動板８がバネ１４の付勢力で、回動部材１３側に移動する。それによりスイッチ板１０が、可動板８に設けた溝１１の位置と合致しスイッチ板１０が可動板８の溝１１に入ることができ、通電用の接点バネ（図示せず）を押してスイッチ操作が可能となる。
【００２１】
以上のように、本実施の形態では、安全ピン３の動作方向と可動板８の動作方向の変換並びに安全ピン３の動作力の伝達に傾斜部を利用した摺動ではなく、支点を介して回動する回転部材１３で行なうので、摩擦等の力の損失がなく、スイッチ操作を制御する可動板８を確実に動作させることができ、安全で且つスイッチ操作を確実に行なうことができるものである。
【００２２】
（実施の形態２）  
図３は、本発明の実施の形態２における電動調理器の断面図、図４（ａ）は、同電動調理器の容器蓋の平面図、（ｂ）は、同電動調理器の容器の断面図、（ｃ）は、同容器の断面図（容器蓋を取り付けた状態）である。なお、上記実施の形態と同一部分に付いては、同一符号を付してその説明を省略する。
【００２３】
本実施の形態は、容器４の底部に設けた突起物５を移動自在とし、容器４の上部開口部を覆う容器蓋１５を設け、さらに、その容器蓋１５に、容器４上部開口部より外向に突出する張出し部１６を設け、その張出し部１６を周方向に回動して、容器４の上部側面部に設けた複数の溝１８に嵌合させることにより、溝１８に張出し部１６の底面と直交して設けた固定ピン１７が、張出し部１６で押圧され、容器蓋１５と容器底部１２の突起物５を固定するものである。
【００２４】
上記構成により、容器蓋１５が容器４の上部に正規状態に取付けなければ容器底部１２の突起物５が固定されないため、前記安全ピン３を押圧できず、スイッチ７の操作ができないので、安全である。
【００２５】
（実施の形態３）  
図５（ａ）は、本発明の実施の形態３における電動調理器の容器蓋の平面図、（ｂ）は、同電動調理器の容器の断面図、（ｃ）は、同容器の断面図（容器蓋を取り付けた状態）である。なお、上記実施の形態と同一部分に付いては、同一符号を付してその説明を省略する。
【００２６】
本実施の形態は、容器蓋１５に外方に突出させて設けた張出し部１６を、容器底部１２まで延長して設け、それを回動して容器底面部１２の上面部に設けた溝１１に嵌合するもので、それにより、溝１１に張出し部１６の底面と直交して設けた突起物５が張出し部１６で直接押圧されて、固定されるようにしたものである。
【００２７】
本実施の形態では、固定ピンなど他の部品を介さずに容器蓋１５に設けた張出し部１６で、直接突起物５を押圧して固定するので、安全機構の動作がより信頼性の高いものとなるものである。
【産業上の利用可能性】
【００２８】
以上のように、本発明に係る電動調理器は、摩擦等の力の損失がなく、スイッチ操作を規制する可動板を確実に動作させて、安全で且つスイッチ操作を確実に行なうことができ、信頼性が高いので、安全機構を必要とする各種機器、装置に広く適用できる。
【図面の簡単な説明】
【００２９】
【図１】本発明の実施の形態１における電動調理器の要部断面図
【図２】（ａ）同電動調理器のスイッチ機構の動作を示す図（容器取り外し時）、（ｂ）同スイッチ機構の動作を示す図（容器セット時）
【図３】本発明の実施の形態２における電動調理器の断面図
【図４】（ａ）同電動調理器の容器蓋の平面図、（ｂ）同電動調理器の容器の断面図、（ｃ）同容器の断面図（容器蓋を取り付けた状態）
【図５】（ａ）本発明の実施の形態３における電動調理器の容器蓋の平面図、（ｂ）同電動調理器の容器の断面図、（ｃ）同容器の断面図（容器蓋を取り付けた状態）
【図６】従来の電動調理器の要部断面図
【図７】（ａ）同電動調理器のスイッチ機構の斜視図（容器取り外し時）、（ｂ）同スイッチ機構の斜視図（容器セット時）
【符号の説明】
【００３０】
１  電動機
２  本体
３  安全ピン
４  容器
５  突起物
６  連結部材
７  スイッチ
８  可動板
９  傾斜部
１０  スイッチ板
１１  溝  
１２  容器底部
１３  回動部材
１４  バネ
１５  容器蓋
１６  張り出し部
１７  固定ピン
【図１】
2006006612.tif 000003
【図２】
2006006612.tif 000004
【図３】
2006006612.tif 000005
【図４】
2006006612.tif 000006
【図５】
2006006612.tif 000007
【図６】
2006006612.tif 000008
【図７】
2006006612.tif 000009